(57)【要約】【課題】簡単に装着することができ、かつ、装着中ずれたり、離脱しないつけまつ毛を供すること【解決手段】極薄のベース１と、該ベースの表面に直線状に形成された接着層４と、該接着層に個々に分離状態にて貼着された多数本のヘア材３と、上記ベースの裏面全面に形成された粘着層７とからなる。上記ヘア材の根元部５は断面わん曲形状に形成され、またカッタにて切断され平面状に形成される。ヘア材がベースに直線状に配設された状態のままベースの接着層に強固に貼着することができるから、ヘア材が整然と整列された状態のままつけまつ毛をまぶたに簡単に装着することができる。【選択図】図２
2012036535.tif 000002
【特許請求の範囲】
【請求項１】
極薄のベースと、該ベースの表面に直線状に形成された接着層と、該接着層に個々に分離状態にて貼着された多数本のヘア材と、上記ベースの裏面全面に形成された粘着層とからなり、上記ヘア材の根元部が断面わん曲形状に形成されることを特徴とするつけまつ毛。
【請求項２】
上記根元部が断面弧状に形成されることを特徴とする請求項１記載のつけまつ毛。
【請求項３】
極薄のベースと、該ベースの表面に直線状に形成された接着層と、該接着層に個々に分離状態にて貼着された多数本のヘア材と、上記ベースの裏面全面に形成された粘着層とからなり、上記ヘア材の根元部が平面状に形成されることを特徴とするつけまつ毛。
【請求項４】
上記ヘア材がカッタにて切断されることを特徴とする請求項３記載のつけまつ毛。
【請求項５】
極薄のベースと、該ベースの表面に直線状に形成された接着層と、該接着層に貼着された多数本のヘア材と、上記ベースの裏面全面に形成された粘着層とからなり、上記ヘア材が線状部材にて連結され整列された状態にて上記接着層に貼着されることを特徴とするつけまつ毛。
【請求項６】
請求項５記載のつけまつ毛において、上記線状部材に上記ヘア材を絡合させることを特徴とするつけまつ毛。
【請求項７】
請求項５記載のつけまつ毛において、上記線状部材に上記ヘア材を結着させることを特徴とするつけまつ毛。
【請求項８】
請求項６又は請求項７記載のつけまつ毛において、上記線状部材が単数個からなることを特徴とするつけまつ毛。
【請求項９】
請求項６又は請求項７記載のつけまつ毛において、上記線状部材が複数個からなることを特徴とするつけまつ毛。
【請求項１０】
請求項６又は請求項７記載のつけまつ毛において、上記線状部材と上記ヘア材とが一体物からなることを特徴とするつけまつ毛。
【請求項１１】
上記ヘア材は上記接着層の下端部に貼着されることを特徴とする請求項１乃至請求項１０のいずれか一記載のつけまつ毛。
【請求項１２】
上記ヘア材の根元部が上記接着層に直交状に貼着されることを特徴とする請求項１乃至請求項１１のいずれか一記載のつけまつ毛。
【請求項１３】
上記ヘア材の根元部が上記接着層に傾斜して貼着されることを特徴とする請求項１乃至請求項１１のいずれか一記載のつけまつ毛。
【請求項１４】
上記ヘア材は先端部がベースの基端部に対し外側方向に向かってカールすることを特徴とする請求項１又は請求項１１記載のつけまつ毛。
【請求項１５】
上記ベースの基端部が直線状にカットされ、ベースの基端部に対し反対方向の端部が突弧状にカットされることを特徴とする請求項１又は請求項１１記載のつけまつ毛。
【請求項１６】
上記ベースの厚さが２０μ以下であることを特徴とする請求項１又は請求項１１記載のつけまつ毛。
【発明の詳細な説明】
【技術分野】
【０００１】
本願発明はつけまつ毛に関する。
【背景技術】
【０００２】
従来のつけまつ毛１０３は、図１２に示すように、幅員０．５ｍｍ位の極細線状ベース１０１に人工まつ毛が植え付けられ、まつ毛１２２の直上の瞼に接着剤により貼着していた。また図１３に示すように、脱落したまつ毛１２２の部分その他の補強箇所に通常１乃至数箇所のレベルでピンセット等を用いて点状に貼着するタイプのものがあった。
【先行技術文献】
【特許文献】
【０００３】
【特許文献１】実開昭４９−４４４９３
【特許文献２】特開２００８−２３１６３２
【発明の概要】
【発明が解決しようとする課題】
【０００４】
従来は貼着に当たり接着剤を用いるため、一歩間違えば目を損傷することにもなりかねないリスクがあった。よって、貼着作業は慎重に行われるが、なかなか上手くいかず時間がかかっていた。時には上手く貼着できない状態で使用する結果にもなりかねなかった。
【０００５】
これは次の理由による。図１４に示すように、従来のつけまつ毛は線状であるため、貼着の際つけまつ毛が種々に変形するがその変形が垂直方向にも水平方向にもなり、３６０度あらゆる方向に変形する。つけまつ毛の貼着は上瞼の下端という唯でさえ貼着が困難な部位に、変形自在の線状つけまつ毛を貼着するというのは位置合わせが非常に困難であり、高度の習熟を要するからである。
【０００６】
また上手く貼着できた場合でも、貼着面積が線状又は点状と非常に小であるため、装着中瞼の上下動によりずれてくることがあり甚だ不体裁であった。
【０００７】
従来のつけまつ毛はベース１０１が線状又は点状であって接着面積が小であるため、使用時間が短く、洗顔により脱落したりずれたりすることがあった。
【０００８】
さらに、溶剤を含有する接着剤を用いるため、装着後溶剤の揮発により一定時間目を開けることができなかった。
【０００９】
さらにまた、まぶたへの装着時又は装着中に線状のベースのとくに両端部がまぶたに当たり、装着者に苦痛を与えていた。また線状物の装着となるため装着の持続時間が長くても６時間程度と短く、洗顔や涙により容易に離脱し易いという欠点があった。
【００１０】
そこで、本出願人は特許文献２を提案したのであるが、これによっても、未だ次の難があった。
【００１１】
即ち、特許文献２によるつけまつ毛は、かつら用に開発されたもの、即ち、ヘア材が植え付けられて裏面に凹凸が現出され、頭部に装着されたとき裏面の凹凸が反転するベースを転用しているため、かつらのように広い面積では期待できるベース裏面の凹凸の反転がまぶたへの装着に当たっては実際的ではなかった。この理由はまぶたは人体の皮膚の中でも最も薄い部位に属し通常１０〜２０μ程度であり、頭部装着と同じように大なる圧力をかけることが適当でないからである。
【００１２】
このため、ベース裏面の凸部に付いている粘着層のみがまぶたに装着し、凹部に付いている粘着層はまぶたに装着することが非常に困難であった。
【００１３】
この結果、凹部とまぶたとの間にギャップが生じ、装着力が低下するとともに、装着の持続時間も低下し、洗顔や涙により水分が凹部に浸入し容易に離脱し易いおそれがあった。
【００１４】
本願発明の目的は上記欠点を解消すること、具体的には、整然と整列されたヘア材のまま簡単に装着することができ、かつ、装着中ずれたり、離脱しないつけまつ毛を供することである。その他の目的は以下の説明より明らかにする。
【課題を解決するための手段】
【００１５】
上記目的達成のため、本願発明によるつけまつ毛は、極薄のベースと、該ベースの表面に直線状に形成された接着層と、該接着層に個々に分離状態にて貼着された多数本のヘア材と、上記ベースの裏面全面に形成された粘着層とからなり、上記ヘア材の根元部が断面わん曲形状に形成されることを特徴とする。
また請求項１記載のつけまつ毛は、上記根元部が断面弧状に形成されることを特徴とする。
また本願発明によるつけまつ毛は、極薄のベースと、該ベースの表面に直線状に形成された接着層と、該接着層に個々に分離状態にて貼着された多数本のヘア材と、上記ベースの裏面全面に形成された粘着層とからなり、上記ヘア材の根元部が平面状に形成されることを特徴とする。
また請求項３記載のつけまつ毛は、上記ヘア材がカッタにて切断されることを特徴とする。
また本願発明によるつけまつ毛は、極薄のベースと、該ベースの表面に直線状に形成された接着層と、該接着層に貼着された多数本のヘア材と、上記ベースの裏面全面に形成された粘着層とからなり、上記ヘア材が線状部材にて連結され整列された状態にて上記接着層に貼着されることを特徴とする。
また請求項５記載のつけまつ毛は、上記線状部材に上記ヘア材を絡合させることを特徴とする。
また請求項５記載のつけまつ毛は、上記線状部材に上記ヘア材を結着させることを特徴とする。
また請求項６又は請求項７記載のつけまつ毛は、上記線状部材が単数個からなることを特徴とする。
また請求項６又は請求項７記載のつけまつ毛は、上記線状部材が複数個からなることを特徴とする。
また請求項６又は請求項７記載のつけまつ毛は、上記線状部材と上記ヘア材とが一体物からなることを特徴とする。
また請求項１乃至請求項１０のいずれか一記載のつけまつ毛は、上記ヘア材は上記接着層の下端部に貼着されることを特徴とする。
また請求項１乃至請求項１１のいずれか一記載のつけまつ毛は、上記ヘア材の根元部が上記接着層に直交状に貼着されることを特徴とする。
また請求項１乃至請求項１１のいずれか一記載のつけまつ毛は、上記ヘア材の根元部が上記接着層に傾斜して貼着されることを特徴とする。
また請求項１又は請求項１１記載のつけまつ毛は、上記ヘア材は先端部がベースの基端部に対し外側方向に向かってカールすることを特徴とする。
また請求項１又は請求項１１記載のつけまつ毛は、上記ベースの基端部が直線状にカットされ、ベースの基端部に対し反対方向の端部が突弧状にカットされることを特徴とする。
また請求項１又は請求項１１記載のつけまつ毛は、上記ベースの厚さが２０μ以下であることを特徴とする。
【発明の効果】
【００１６】
本願発明によるつけまつ毛においては、ヘア材がベースに直線状に配設された状態のまま接着層に強固に貼着するから、ヘア材が整然と整列された状態のままつけまつ毛をまぶたに簡単に装着することができる。
【００１７】
またまぶたへの装着に当たり、ベースの下端部にヘア材が直線状に形成されていることから、自まつ毛とつけまつ毛とを略同一線上に重なるように装着することができ、よってつけまつ毛が自まつ毛と区別することができず、このため見栄えが非常に良好となる。またこれにより接着層の残部が視界に入ってこないので、視界が良好となる。
【００１８】
本願発明によるつけまつ毛は貼着面が面状に幅広に構成され、この幅広の貼着面が例えば上瞼に貼着される。よってつけまつ毛の装着に当たり、上瞼下縁への基端部の位置合わせは手にするベースの面が幅広の取扱い易い面であることと相まって非常に容易となり、装着作業の手間と時間を大幅に節約することができる。また貼着面が面状であり上瞼に貼着される面積が広いので、装着中つけまつ毛がずれたり離脱するおそれがない。
【図面の簡単な説明】
【００１９】
【図１】（Ａ）は本願発明によるつけまつ毛の実施の形態を示す正面図、（Ｂ）は（Ａ）の平面図、（Ｃ）は（Ａ）の拡大左側面図、（Ｄ）は（Ａ）の背面図、（Ｅ）は（Ａ）の斜面図、（Ｆ）は（Ｄ）のＦ部拡大図である。
【図２】（Ａ）は本願発明によるつけまつ毛の他の実施の形態を示す正面図、（Ｂ）は（Ａ）の平面図、（Ｃ）は（Ａ）の拡大左側面図、（Ｄ）は（Ａ）の背面図、（Ｅ）は（Ａ）の斜面図、（Ｆ）は（Ｄ）のＦ部拡大図である。
【図３】（Ａ）は図２の左目用ベースの表面図、（Ｂ）は同右目用ベースの表面図、（Ｃ）は（Ａ）のＣ−Ｃ断面図である。
【図４】（Ａ）は本願発明によるつけまつ毛に用いられるヘア材の他の実施例を示す正面図、（Ｂ）は（Ａ）の右側面図、（Ｃ）は同さらに他の実施例を示す正面図、（Ｄ）は（Ｃ）の右側面図、（Ｅ）は同さらに他の実施例を示す正面図、（Ｆ）は（Ｅ）の右側面図、（Ｇ）は同さらに他の実施例を示す正面図、（Ｈ）は（Ｇ）の右側面図である。
【図５】（Ａ）は本願発明によるつけまつ毛のさらに他の実施の形態を示す正面図、（Ｂ）は（Ａ）の平面図、（Ｃ）は（Ａ）の左側面図、（Ｄ）は（Ａ）の背面図、（Ｅ）は（Ａ）の斜面図、（Ｆ）は（Ｃ）のＦ部拡大図、（Ｇ）は（Ｄ）のＧ部拡大図である。
【図６】本願発明によるつけまつ毛の製造方法の例を示し、（Ａ）は第１工程、（Ｂ）は第２工程、（Ｃ）は第３工程、（Ｄ）は第４工程及び第５工程を示す。
【図７】（Ａ）は本願発明によるつけまつ毛のサイズパターンスケールの実施例を示す正面図、（Ｂ）は同他の実施例を示す正面図、（Ｃ）は同さらに他の実施例を示す正面図である。
【図８】（Ａ）は本願発明によるつけまつ毛の装着状態を示す概略正面図、（Ｂ）は（Ａ）の右側面図、（Ｃ）は（Ｂ）のＣ部拡大図である。
【図９】本願発明によるつけまつ毛の装着状態を説明する図である。
【図１０】（Ａ）は従来のベースの切断を説明する図、（Ｂ）は本願発明によるベースの切断を説明する図である。
【図１１】（Ａ）は本願発明によるつけまつ毛の他の実施の形態を示す拡大側面図、（Ｂ）は（Ａ）のＢ部拡大図、（Ｃ）は本願発明によるつけまつ毛のさらに他の実施の形態を示す拡大側面図である。
【図１２】（Ａ）は従来のつけまつ毛の一例を示す正面図、（Ｂ）は（Ａ）のつけまつ毛の装着状態を示す概略正面図である。
【図１３】従来のつけまつ毛の他の例を示す正面図、（Ｂ）は（Ａ）のつけまつ毛の装着状態を示す概略正面図である。
【図１４】従来のつけまつ毛の装着状態を説明する図である。
【発明を実施するための形態】
【００２０】
次に、実施の形態を示す図面に基づき本願発明によるつけまつ毛をさらに詳しく説明する。なお、便宜上同一の機能を奏する部分には同一の符号を付してその説明を省略する。
【００２１】
図１において、１はベースであり、人皮程度の極薄のシート（例えば厚さ２０μ）からなる。該ベース１は伸縮性のある素材例えばポリウレタン製であり、色彩は透明で薄い肌色であり、上まぶたのわん曲形状に合致するように三次元状に形成される。該ベース１は、表面の下端部１ｃに長手方向に沿って余白部２ａが設けられ、該余白部２ａを残して下端部１ｃに接着層４が形成される。また接着層４の両端部にも略同大の余白部２ｂが設けられる。上記接着層４はＵＶ硬化剤からなり、上記ベース１上に直線状に形成され（図６（Ｂ）に示す）、ここにヘア材３が貼着される。１ｄは突弧状に形成されたベース１の上端部である。上記ベース１の裏面には全面に人体に装着させるための医療用接着剤からなる粘着層７が形成される。該粘着層７は例えばアクリル系粘着剤からなり、転写法により、上記ベース１の裏面全面に均等な厚さで形成される。即ち、両面に剥離紙（ＰＥＴ）を設けたアクリル系粘着剤の一の面の剥離紙を剥してその面をベース１の裏面全面に固着し、使用時に他の面の剥離紙９を剥して上瞼２０（図７（Ａ）〜（Ｃ）に示す）の適用部位に貼付する。３は該ベース１に個々に分離状態にて貼着されたヘア材であり、例えばポリエステル繊維からなる。該ヘア材３は先端部が上方に向かってカールして形成される。
【００２２】
上記ヘア材３の根元部５は球状に形成され、上記接着層４に貼着される。この貼着は、図１（Ｃ）に示すように上記根元部５が上記接着層４の下端部４ａに位置するようにする。その理由は後述する。
【００２３】
図１の実施の形態においては、ベース１は、後述するようにつけまつ毛の所定の形状に切断後、三次元形状にわん曲される。このとき、ベース１ａの基端部１ｃの長さｆを人の目頭から目尻までの上瞼２０の長さｉ（図８（Ａ）に示す）に対し、大とする場合（ｆ＞ｉ）、同一とする場合（ｆ＝ｉ）、小とする場合（ｆ＜ｉ）が考えられる。実験の結果、大とする場合（ｆ＞ｉ）は図２に示す実施の形態と同様の効果、即ち、ベース１が余白部２ａ、２ｂを有することによるつけまつ毛の脱落防止等の効果を奏することが判明した。この点については図１０に基づいて後述する。また同一とする場合（ｆ＝ｉ）は、上記に加え、図２に示す実施の形態に比し、上瞼２０に取り付ける際基端部１ｃへのしわの発生を一層防止することが判明したので望ましい。さらに小とする場合（ｆ＜ｉ）は、上記に加え、図２に示す実施の形態に比し、上瞼２０に取り付ける際取付けが一層容易となり、かつ基端部１ｃへのしわの発生を一層防止することが判明したのでさらに望ましい。
【００２４】
図２は本願発明によるつけまつ毛の第２の実施の形態を示す。この実施の形態におけるベース１は実質平面状に形成される。またヘア材３は線状部材３１にて連結した状態で接着層４に貼着される。その余の構成は図１の実施の形態と同様である。
【００２５】
図３は図２のつけまつ毛に使用されるベース１を示す。ここで余白部について説明する。余白部２ａ、２ｂの大きさは、毛髪１本分の直径より小程度とする。具体的には、ａ1＝約０．１ｍｍ乃至約０．６ｍｍ、ａ2＝約０．１ｍｍ乃至約０．６ｍｍ程度とするのが望ましい。なお、本実施例の場合ベース１は、日本人の目の大きさｉ（図８（Ａ）に示す）が平均約３０ｍｍであるため、長さＬ＝約２６ｍｍとしてあり、最大幅は一重用Ｗ1＝約２．６ｍｍ、二重用、奥二重用Ｗ2＝約４ｍｍとしてある。なお、ベース１の形状は、図７に基づいて後述するように、適用されるまぶたの形状により種々あるため、図３では最大幅を「Ｗ」として総称的に表わしている。
【００２６】
またここでヘア材３について説明する。本実施の形態においては、個々に分離状態にて貼着される多数本からなるヘア材３が、線状部材３１にて連結した状態で接着層４に貼着される。上記ヘア材３の態様は種々あり、例えば単一又は複数の線状部材３１に多数本のヘア材３を絡ませたり（絡合）、結着させる。例えば、図４（Ａ）、（Ｂ）は絡み合う２本の線状部材３１、３１の間に多数本のヘア材３を挟み込み、接着層４の接着成分の中に挿入した場合である。図４（Ｃ）、（Ｄ）は平行する２本の線状部材３１、３１の間に多数本のヘア材３を挟持し、接着層４の接着成分の中に挿入した場合である。図４（Ｅ）、（Ｆ）は１本の線状部材３１に多数本のヘア材３を接着剤で接着し、この状態で接着層４の接着成分の中に挿入した場合である。図４（Ｇ）、（Ｈ）は１本の線状部材３１にヘア材３を多数結着させ、この状態で接着層４の接着成分の中に挿入した場合である。線状部材３１としては、糸、テグスなどがある。ヘア材３の長さｄは２ｍｍ位〜１２ｍｍ位に形成される。貼着されるヘア材３の幅ｅは１０ｍｍ位〜５０ｍｍ位が多い。各ヘア材３は図４（Ａ）〜（Ｈ）に示すヘア材ユニット３Ａの段階からすべて上方にカールしており、中央付近のヘア材３が他の部分のものより長く形成されている。
【００２７】
上記した図１及び図２の実施の形態は、工場においてつけまつ毛の所定の形状に切断して出荷されるのであるが、図５に示す本願発明の第３の実施の形態はユーザカット仕様の場合である。この場合、ベース１はつけまつ毛の所定の形状より大なる方形形状１Ｍに切断される。ユーザは自ら図７に示すカットラインに沿ってつけまつ毛のベース１を所定の形状に切断して使用する。図５（Ａ）において、「１ａ」は切り離し後のベースを示す。その余の構成は図１の実施の形態と同様である。
【００２８】
ここで、図５に示すつけまつ毛の各部のサイズを説明すると、使用前のベース１の縦サイズは、業務用サイズａが２０ｍｍ位〜３０ｍｍ位、基端部１ｃ付近まで切断される個人用サイズｂが１０ｍｍ位〜１５ｍｍ位であり、横サイズｃは共に１０ｍｍ位〜４０ｍｍ位に形成される。ヘア材３の長さｄは２ｍｍ位〜１２ｍｍ位に形成される。各ヘア材３はヘア材ユニット３Ａ（図６（Ｃ）に示す）の段階からすべて上方にカールしており、中央付近の数本が他の部分のものより長く形成されている。ヘア材３を貼着される幅Ｌ（図１（Ａ）に示す）は１０ｍｍ位〜５０ｍｍ位である。本実施例の場合ベース１ａは、日本人の目の大きさｉ（図８（Ａ）に示す）が平均約３０ｍｍであるため、長さＬ＝約２６ｍｍとしてあり、最大幅Ｗは一重用が約２．６ｍｍ、二重用、奥二重用が約４ｍｍとしてある。なお、ベース１の形状は、図７に基づいて述べたように、適用されるまぶたの形状により種々ある。
【００２９】
なお、図１、図２及び図５は模式図であり、ヘア材３の植え付け本数は簡略化して示してある。
【００３０】
<製造工程>
本願発明によるつけまつ毛は、例えば次の工程により製造される。ここでは図５に示すつけまつ毛に基づき説明する。
【００３１】
第１工程（ベース供給工程）
作業台１２の作業位置Ｔの上にリール１３に巻かれた長尺状のベース母材１Ｍから１区画分のベース１が供給される（図６（Ａ））。上記ベース母材１Ｍの裏面には人体に装着させるための医療用接着剤が粘着層７として形成され、その裏には剥離紙９が貼られている。
【００３２】
第２工程（接着剤供給工程）
上記１区画分のベース１の適宜位置に接着層４となる接着剤が供給される（図６（Ｂ））。接着層４は、便宜上、図６（Ｂ）及び図６（Ｄ）では水平方向に２箇配設されるが、適宜箇数歩留りの良いように１区画分のベース母材１Ｍ上に設けられる。上記接着剤の供給は、作業台上に固定されたベース１上に、図示しない供給パイプを水平に移動することにより直線状になされる。
【００３３】
第３工程（ヘア材のカット工程）
ヘア材３の基端部３ｂが連設されたヘア材ユニット３Ａを開閉自在の一対のロボット軸１５で把持し、この状態で基端部３ｂと該ロボット軸１５の間を図示しないレーザ光によりカットする（図６（Ｃ））。カットラインＬを図６（Ｃ）に一点鎖線で示す。
【００３４】
第４工程（ヘア材の貼着工程）
上記カットが終了しても上記ロボット軸１５によるヘア材の把持は継続し、この把持した状態で前記工程で付与された接着剤（これが「接着層４」を形成する）にカットされたヘア材を上記ロボット軸１５を下降せしめて貼着する（図６（Ｄ））。上記ヘア材３の貼着は、上記ロボット軸１５を適宜に位置調節することにより、接着層４の下端部４ａ（図５（Ｆ）に示す）に行なう。
【００３５】
第５工程（製品化工程）
かくしてベース１にヘア材が貼着されると、図６（Ｄ）に一点鎖線Ｍで示す１区画分のベース１が切断される。なお、図２に示すつけまつ毛では、該ベース１は、レーザ光Ｒにより、図７に示すカットラインに基づき所定形状に切断されて出荷される。ベース１のレーザ光Ｒによる切断については図１０を参照して後述する。
【００３６】
次いで、次の１区画分のベース１が作業位置Ｔ上に供給され、上記した作業を行う。このような作業が連続的に繰り返される。
【００３７】
図７はつけまつ毛のサイズパターンスケール１１を示す。図７（Ａ）は目の大きさが大きいサイズ用、同（Ｂ）は同普通サイズ用、同（Ｃ）は部分的に装着する場合に使用されるスケールを示し、各図とも１１Ａは左目用、１１Ｂは右目用を表わす。各パターンとも基端部３ｂに沿ってカットされるカットライン１１ｄを直線状に形成するとともに、先端部のカットライン１１ａ、１１ｂ、１１ｃを眼球２１の上方曲線２１ａ（図８（Ａ）に示す）に合わせるようパターン化された突弧状の曲線に形成されている。
【００３８】
図７（Ａ）、同（Ｂ）において、「１１ａ」は最大５ｍｍに形成された二重又は奥二重を形成するためのカットラインを、「１１ｂ」は最大４ｍｍ〜３ｍｍに形成された奥二重又は一重を形成するためのカットラインを、「１１ｃ」は最大２ｍｍに形成された二重又は一重を形成するためのカットラインを各示す。図７（Ａ）のカットライン１１ｄの長さは３０ｍｍ、図７（Ｂ）のカットライン１１ｄの長さは２３ｍｍとしてあるが、目の大きさに合わせて適宜にカットすることができる。図７（Ｃ）において、「１１ａ」は最大５ｍｍに形成された二重又は二重以上を形成するためのカットラインを、「１１ｂ」は最大４ｍｍ〜３ｍｍに形成された二重又は奥二重を形成するためのカットラインを各示す。上記カットライン１１ｄの長さは１５ｍｍとしてあるが、装着したい部分の大きさに合わせて適宜にカットすることができる。
【００３９】
<使用方法>
本願発明によるつけまつ毛は、図１及び図２に示す所定の形状に切断された状態で製品化される場合と、図５に「１Ｍ」で示すユーザカット仕様の場合がある。前者の場合は剥離紙９を剥がし直接上瞼に装着することができるが、後者の場合はまず、図７に示した所望のサイズパターンスケール１１の上にベース１をヘア材３を上にした状態で載置する。次いで、ユーザにより上記ベース１に上記サイズパターンスケール１１に示されたカットラインを描き写す。次いでユーザにより該カットラインに沿って上記ベース１をカットする。次いで、剥離紙９を剥がし、貼着面をまぶたに貼着して使用する。
【００４０】
<レーザ光による切断効果>
上記各実施の形態においては、ヘア材３がヘア材ユニット３Ａからレーザ光により切断されて取り出されるため次の効果がある。
【００４１】
ア.非接触切断
レーザ光による切断は非接触であるため、ヘア材３が切断時にばらけ、その方向性が区々となることがない。またヘア材ユニット３Ａをロボット軸１５により把持した状態でレーザ光により切断するので、カールした毛先の方向性を当初の上方にカールした状態のまま連設部のみ切断し、各ヘア材３を分離状態にすることができる。よってヘア材３の整列性を保持することができる。
【００４２】
イ.加熱切断
レーザ光による切断は切断時に熱が発生するため、切断された各ヘア材３の根元部５が熱で溶けて球状になる。このため、この球状の根元部５をいわば「糊代」とすることができ、ベース１に接着するための「糊代」をつくる工程を別に設ける必要がない。
【００４３】
ヘア材３の根元部５が球状に形成されるため、根元部５の球面のどの部分でも接着層４に貼着することができるところ、各ヘア材３はロボット軸１５により把持した状態で、かつカールした毛先の方向性が整列された状態のまま接着層４に強固に貼着することができるから、各ヘア材３は点状接着でありながら、毛先の方向性が区々とならず、所定の方向即ち上方にカールした状態のままベース１の表面に固定することができる。よって装着中水分等の浸入を防止するので、つけまつ毛のずれや離脱を防止する。
【００４４】
ウ.まぶたの拡開効果、自毛と渾然一体となる効果
各ヘア材３は上方にカールした状態を維持したまま分離状態でベース１に貼着されているが、まぶたに装着されると、後述のように上瞼２０が突弧状に開となるため、貼着された各ヘア材３の各根元部５も上瞼２０に沿って突弧状となる。この結果平行に貼着されていた各ヘア材３に放射状の角度がつき、各ヘア材３間に形成されている隙間がより拡開される。
【００４５】
各ヘア材３のラインは図８（Ａ）乃至図８（Ｃ）に示すように自まつげ２２の直上に貼着されるから、自まつげ２２がこの拡開された隙間から顔を出し各ヘア材３のラインと同一ライン上になる。よって装着されたつけまつ毛が自毛と渾然一体となる効果がある。
【００４６】
エ．ヘア材３の根元部が球状に形成される効果
ヘア材３の根元部５が球状に形成されるため、根元部５の球面のどの部分でも接着層４に貼着することができる。よってヘア材３の貼着角度を調節することができるので、用途によって製品を群別でき、製品の拡張を図ることができる。例えば、接着層４に対しヘア材３を直交状に貼着すればまつ毛が大きく見えるので若者向けとなり、接着層４に対しヘア材３を傾斜して貼着すればまつ毛の量が多く見えるので年配者向けとなる。
【００４７】
また根元部５の球面のどの部分でも接着層４に貼着することができるので、迅速効率的な製造を可能とする。
【００４８】
<他の効果>
上記各実施の形態においては、さらに次のような効果がある。
【００４９】
本願発明によるつけまつ毛は貼着面が面状に幅広に構成され、この幅広の貼着面が上瞼２０に貼着される。この貼着に当たり、ベース１は面状であって基端部１ｃが実質上直線状にかつ先端部１ｄが突弧状に形成されているから、ベース１の変形は、従来３６０°のあらゆる方向に変形しているのに対し、図９に示すように、一方向のみ（上下方向）であり、それ以外の変形は実質上無視することができる。
【００５０】
よってつけまつ毛の装着に当たり、上瞼２０下縁へのヘア材３の位置合わせは手にするベース１の面が幅広の取扱い易い面であることと相まって非常に容易となり、装着作業の手間と時間を大幅に節約することができる。また貼着面が面状であり上瞼２０に貼着される面積が広いので、装着中つけまつ毛がずれたり離脱するおそれがない。
【００５１】
ここで上瞼２０への装着良好性及び装着容易性を前記したレーザ光による切断効果との関係でさらに詳しく述べる。まず、ヘア材３は把持された状態においてレーザ光により直線状に切断されるから、ヘア材３の根元部５が球状に形成され、根元部５の球面のどの部分でも接着層４に貼着することができる。よってカールした毛先の方向性が整列された状態のまま容易に上瞼２０に貼付することができるのである。
【００５２】
また、ベース１は上瞼２０下縁の自毛に沿って貼着されるところ、ヘア材３の根元部５が接着層４の下端部４ａに貼着されるため、貼着されたヘア材３に沿って若干の余白部２ａを残してベース１をぎりぎりにカットすることができる。このため、自まつ毛２２とヘア材３とが図８（Ａ）乃至図８（Ｃ）に示すように略同一線上に重なるから自まつ毛２２と区別することができず、このため見栄えが非常に良好となる。加えて接着層４の残部が視界に入ってこないので、視界が良好となる。つまり、ヘア材３の根元部５が接着層４の中央部に貼着されると、自まつ毛２２とヘア材３とが上下に二重になって甚だ不体裁となるだけでなく、接着層４の残部が視界に入ってくるので視界に霧がかかったようになって悪化するのであるが、これが防止される。
【００５３】
この点に関してさらに述べる。ベース１を図１及び図２に示す所定の形状に切断するには、ベース１の裏面からレーザ光Ｒを照射して行なう。この切断において、図１０（Ａ）に一点鎖線で示すように、レーザ光Ｒをベース１とくにヘア材３が貼着されるラインぎりぎりに沿って直角に照射すると、ヘア材３を損傷することが多い。そこでレーザ光Ｒは、図１０（Ａ）に実線で示すように、接着層４に対し傾斜（例えば接着層４に対し６０°くらいに傾斜させる）させて照射しベース１を切断している。このようにすれば接着層４付近に貼着されているヘア材３を損傷することが防止される。しかしながら、このようにレーザ光Ｒを傾斜して照射すると、ベース１の裏面に形成された粘着層７ａの全部又は一部が溶解して裏面から脱落又は一部が剥離してしまう。こうなると上瞼に装着したとき、上瞼との一体装着性は失なわれ、装着力が低下するだけでなく、ベース１の一部が上瞼から剥離するとベース１と上瞼との間にギャップができるので、いかにもつけまつ毛然となり外観上自然毛と見分けがつき易くなる。
【００５４】
また図１０（Ａ）に実線で示すように、接着層４に対し傾斜させてレーザ光Ｒを照射すると、ヘア材３を貼着する接着層４の一部を破壊損傷することがあり、こうなるとヘア材３がベース１から脱落するおそれがある。
【００５５】
本実施の形態においては、図１０（Ｂ）に実線で示すように、レーザ光Ｒを下端部１ｃとなるべき部位に対し傾斜（例えばベース１に対し６０°くらいに傾斜させる）させて照射してもベース１の表面の下端部相当部位１ｃに対し長手方向に沿って余白部２ａが設けられ、かつ接着層４の両端部にも略同大の余白部２ｂが設けられているので、ヘア材３を損傷することがなく、かつレーザ光Ｒの出力も小とできるので照射付近の粘着層７の溶解も防止される。よって装着中のつけまつ毛の上瞼からの脱落防止及びヘア材３のベース１からの脱落を防止することができる。
【００５６】
ヘア材３は肉眼では意識されない程度の若干の余白部２ａを残してベース１のぎりぎりに貼着される。このため、自まつ毛２２とヘア材３とが図８（Ａ）乃至図８（Ｃ）に示すように略同一線上に重なるから自まつ毛２２と区別することができず、このため見栄えが非常に良好となる。加えて接着層４の残部が視界に入ってこないので、視界が良好となる。つまり、ヘア材３がベース１のぎりぎりに貼着されていないと、自まつ毛２２とヘア材３とが上下に二重になって甚だ不体裁となるだけでなく、接着層４の残部が視界に入ってくるので視界に霧がかかったようになって悪化するのであるが、これが防止される。
【００５７】
また、ベース１の両端部にも余白部２ｂが残されるため、ここにヘア材３が貼着されることがないから、自まつ毛２２の生え際とヘア材３の貼着部位が一致する。よって加工されるつけまつ毛がより自然的になる効果がある。
【００５８】
さらに余白部２ａと自まつ毛２２との間に形成される若干のギャップｇ（図８（Ｃ）に示す）にアイライン化粧料（図示せず）を塗布することもできる。
【００５９】
さらに図２及び図５に示す実施の形態の場合、ベース１は平面形状に形成され、二次元的にも三次元的にも特定のユーザ用に加工されていない。また図５に示すユーザカット仕様の場合、貼着されたベース１の上部スペース１ｂ（図５（Ａ）に示す）はフリーカットできるような十分な面積を有しているため、ベース１の先端部１ｄを突弧状にカットして使用することができる。これにより、上瞼２０の皮膚を上方に引き上げる効果がある。
【００６０】
上瞼２０の皮膚は経時的に劣化し段々とたるんでくるが、この引き上げ効果により上瞼２０の皮膚のたるみ程度に応じてカット面積を調節し、上瞼２０を上方に引き上げ、これにより、目元を一層ぱっちりとすることができ、アンチ・エージング効果が生ずる。
【００６１】
さらにまた、ベース１が平面状に形成され、該ベース１の下端部にヘア材３が直線状に形成される場合において、ベース１が上瞼２０に貼着されるとベース１が突弧状の上瞼２０に沿って突弧状になるため、個々分離状態で貼着されている各ヘア材３が放射状に拡開される。このためまつ毛（実は「つけまつ毛」）のラインが濃く見え、目元がぱっちり大きく見えるのである。
【００６２】
本願発明によるつけまつ毛は上記した実施の形態に限定されない。例えば、ヘア材３は、根元部５が球状以外の他のわん曲形状（例えば断面弧状）であってもよく、また図１１（Ａ）、（Ｂ）に示すようにカッタ等により扁平状に切断されても上記と同様の効果を有する。
【００６３】
また各ヘア材３の根元部５の貼着角度は、上記各図示例のような直交状ではなく、図１１（Ｃ）に示すように下向きの傾斜状にすることもできる。この場合傾斜角度は例えば４５°が考えられるが、ユーザの目的、年齢等により適宜に選択される。
【００６４】
またヘア材３は、図１の如く、線状部材３１なしに接着層４に多数本のヘア材を直接貼着することもできる。また上記ヘア材３と上記線状部材３１とは一体に形成することもできる。
【００６５】
また、適用部位として、上記実施の形態では本願発明によるつけまつ毛を上瞼に装着する場合について説明したが、下瞼に装着することもできる。
【００６６】
ベース１、ヘア材３等の各部のサイズについて本文中で述べた数値は一例として理解すべきである。とくにベース１の厚さは数１０μ単位の極薄のシートであれば、例えば３０μ、４０μ、５０μ、６０μ、７０μ、８０μ、９０μであってもよい。なお、ヘア材３の長さは問わない。
【００６７】
非接触の加熱切断手段として、他に超音波のような高周波を用いることが考えられる。
【００６８】
接着層４を構成する接着剤は瞬間的に強固に接着する接着剤であればよく、例えばシアノアクリレートを主成分とする瞬間接着剤を用いることもできる。
【００６９】
ベース１への接着剤の供給に関し、上記実施の形態で述べたようにベース１は移動させずに接着剤を供給する場合、ベース１は作業台１２の上に区画分毎に切断して多数置いておき、接着剤を供給してもよいし、長尺状のベース１のまま作業台１２の上に置いておき接着剤の供給後に区画分毎に切断してもよい。
【００７０】
しかし、上記とは反対に、ベース１を移動させて、その移動時に接着剤を供給することが考えられる。この場合は、接着剤はベース１が一方向に供給されるとき供給パイプがベース１上に動作し、ベース１の移動時に所定時間ＯＮとなってベース１上に接着剤を直線状に供給する。
【００７１】
各ヘア材３の連接部の切断は接着層４の付与前又は接着剤供給と同時にしてもよい。
【００７２】
サイズパターンスケール１１のカットライン１１ｄの長さは他のサイズにすることもできる。
【産業上の利用可能性】
【００７３】
本願発明はつけまつ毛として活用することができる。
【符号の説明】
【００７４】
１      ベース
１ａ    ベース
１ｂ    上部スペース
１ｃ    基端部
１ｄ    先端部
１Ｍ    ベース母材
２ａ    余白部
２ｂ    余白部
３      ヘア材
３Ａ    ヘア材ユニット
３ｂ    基端部
３１    線状部材
４      接着層
４ａ    下端部
５      根元部
６      先端部
７      粘着層
９      剥離紙
１１    サイズパターンスケール
１２    作業台
１３    リール
１５    ロボット軸
２０    上瞼
２１    目
２１ａ  上方曲線
２２    自まつ毛
Ｌ      カットライン
Ｍ      カットライン
Ｔ      作業位置
【図１】
2012036535.tif 000003
【図２】
2012036535.tif 000004
【図３】
2012036535.tif 000005
【図４】
2012036535.tif 000006
【図５】
2012036535.tif 000007
【図６】
2012036535.tif 000008
【図７】
2012036535.tif 000009
【図８】
2012036535.tif 000010
【図９】
2012036535.tif 000011
【図１０】
2012036535.tif 000012
【図１１】
2012036535.tif 000013
【図１２】
2012036535.tif 000014
【図１３】
2012036535.tif 000015
【図１４】
2012036535.tif 000016
【手続補正書】
【提出日】平成22年8月31日(2010.8.31)
【手続補正１】
【補正対象書類名】明細書
【補正対象項目名】００６６
【補正方法】変更
【補正の内容】
【００６６】
ベース１、ヘア材３等の各部のサイズについて本文中で述べた数値は一例として理解すべきである。とくにベース１の厚さは極薄のシートであれば、例えば３０μ、４０μ、５０μ、６０μ、７０μ、８０μ、９０μであってもよい。なお、ヘア材３の長さは問わない。
【手続補正２】
【補正対象書類名】図面
【補正対象項目名】図１
【補正方法】変更
【補正の内容】
【図１】
2012036535.tif 000017
【手続補正３】
【補正対象書類名】図面
【補正対象項目名】図２
【補正方法】変更
【補正の内容】
【図２】
2012036535.tif 000018